(57)【特許請求の範囲】
【請求項１】
ネットワークスイッチ、ネットワーク装置、前記ネットワークスイッチ及び前記ネットワーク装置の間を接続するケーブルを備えるネットワークシステムであって、
前記ケーブルは、前記ネットワークスイッチ及び前記ネットワーク装置の間でパケットを伝送する伝送媒体と、前記ネットワークスイッチから前記ネットワーク装置に供給する電力を伝送する伝送媒体とを備え、
前記ネットワーク装置は、前記ケーブルを介して伝送するパケットを処理するためのパケット処理手段を備え、
前記ネットワークスイッチは、前記ネットワーク装置を宛先として含む第１のパケットの受信に応じて、前記パケット処理手段の起動を指示する信号である起動信号を、前記ケーブルを介した給電電圧に重畳して、前記ネットワーク装置に送信する手段を備え、
前記ネットワーク装置は、前記給電電圧から前記起動信号を検出して、前記パケット処理手段を起動する手段を更に備える
ことを特徴とするネットワークシステム。
【請求項２】
前記パケット処理手段が起動したことを示す予め定められた契機に応じて、前記ネットワークスイッチは前記ネットワーク装置に前記第１のパケットを送信することを特徴とする請求項１に記載のネットワークシステム。
【請求項３】
前記ネットワーク装置は、前記起動信号に応じて前記パケット処理手段が起動したことを通知する第２のパケットを前記ネットワークスイッチに送信する手段を更に備え、
前記ネットワークスイッチは、前記第２のパケットの受信を前記契機として、前記ネットワーク装置に前記第１のパケットを送信する手段を更に備える
ことを特徴とする請求項２に記載のネットワークシステム。
【請求項４】
前記ネットワーク装置は、前記ネットワークスイッチから受信した前記第１のパケットの内容に応じた処理を実行する手段を更に備えることを特徴とする請求項２及び請求項３のいずれかに記載のネットワークシステム。
【請求項５】
前記ネットワーク装置は、前記第１のパケットに関する処理の終了に応じて、前記パケット処理手段を停止する手段を更に備えることを特徴とする請求項４に記載のネットワークシステム。
【請求項６】
前記ネットワーク装置は前記パケット処理手段とは異なる情報処理手段を備え、
前記パケット処理手段が起動しているか停止しているかに関わらず、前記情報処理手段への給電は継続される
ことを特徴とする請求項１乃至請求項５のいずれかに記載のネットワークシステム。
【請求項７】
パケットを伝送する伝送媒体と、電力を伝送する伝送媒体とを備えるケーブルを介して接続されたネットワーク装置に対し、前記ケーブルを介して電力を供給する給電手段と、
前記ネットワーク装置を宛先として含む第１のパケットの受信に応じて、前記ネットワーク装置に対してパケットを処理する手段であるパケット処理手段の起動を指示する信号である起動信号を生成し、前記ケーブルを介した給電電圧に前記起動信号を重畳して、前記ネットワーク装置に送信する手段と
を備えることを特徴とするネットワークスイッチ。
【請求項８】
前記パケット処理手段が起動したことを示す予め定められた契機に応じて、前記ネットワークスイッチは前記ネットワーク装置に前記第１のパケットを送信することを特徴とする請求項７に記載のネットワークスイッチ。
【請求項９】
パケットを伝送する伝送媒体と電力を伝送する伝送媒体とを備えるケーブルを介してネットワークスイッチに接続されて、前記ケーブルを介して前記ネットワークスイッチとの間でパケットを伝送するとともに、前記ケーブルを介して前記ネットワークスイッチから電力の供給を受けるネットワーク装置であって、
前記ケーブルを介して伝送するパケットを処理するためのパケット処理手段と、
当該ネットワーク装置を宛先として含む第１のパケットを前記ネットワークスイッチが受信するのに応じて、前記ネットワークスイッチが前記ケーブルを介した給電電圧に重畳して送信する信号であって、前記パケット処理手段の起動を指示する信号である起動信号を前記給電電圧から検出して、前記パケット処理手段を起動する手段と
を備えることを特徴とするネットワーク装置。
【請求項１０】
導線を伝送媒体とするケーブルを介してネットワークスイッチに接続され、前記ケーブルを介して前記ネットワークスイッチとの間でパケットを送受信し、かつ、前記ケーブルを介して前記ネットワークスイッチから電力の供給を受けるネットワーク装置を宛先として含む第１のパケットを、前記ネットワークスイッチが受信する段階と、
前記ネットワーク装置のパケット処理手段の起動を指示する信号である起動信号を、前記ケーブルを介した給電電圧に重畳して、前記ネットワークスイッチから前記ネットワーク装置に送信する段階と、
前記ネットワーク装置が前記給電電圧から前記起動信号を検出する段階と、
前記起動信号の検出に応じて、前記ネットワーク装置が前記パケット処理手段を起動する段階と
を含むことを特徴とするネットワーク装置の制御方法。
【発明の詳細な説明】
【技術分野】
【０００１】
本発明はネットワークスイッチとこれにネットワークケーブルを介して接続されたネットワーク装置を備えるネットワークシステムに関する。特に、ネットワークケーブルを介して、パケットの伝送に加えて、ネットワークスイッチからネットワーク装置への電力の供給を行なうネットワークシステムの省電力化に関する。
【背景技術】
【０００２】
イーサネット（登録商標）のツイステッドペアケーブルを通じてパケットの伝送を行なうとともに、電力の供給を行なう技術として例えばＰｏｗｅｒ  ｏｖｅｒ  Ｅｔｈｅｒｎｅｔ（ＰｏＥ）がある。この種の技術を用いることにより、電力供給が困難な場所に設置されたネットワーク装置に対し、ネットワークケーブルを介してネットワークスイッチから電力を供給することができる。
【０００３】
この種の一般的なシステムであるネットワークシステム５について図Ａを参照して説明する。ネットワークシステム５ではＬＡＮ（Ｌｏｃａｌ  Ａｒｅａ  Ｎｅｔｗｏｒｋ）スイッチ６にＬＡＮ装置７がケーブル８を介して接続されている。この種の技術は例えば特許文献１に記載されている。
【０００４】
ＬＡＮスイッチ６は上流ＬＡＮに接続したＬＡＮインタフェース６１と、ＬＡＮ装置８に接続したＬＡＮインタフェース６２を備え、ＬＡＮコントローラ６３の制御の元、上流ネットワークとＬＡＮ装置８の間でパケットの中継を行なう。また、ＬＡＮスイッチ６は給電回路６４を備える。給電回路６４はＬＡＮインタフェース６２、ケーブル８を介してＬＡＮ装置７に給電する。
【０００５】
ＬＡＮ装置７はＬＡＮブロック７１及びＣＰＵ（Ｃｅｎｔｒａｌ  Ｐｒｏｃｅｓｓｉｎｇ  Ｕｎｉｔ）７２を備える。ＬＡＮブロック７１は送信しようとするデータを複数のパケットに分割してＬＡＮスイッチ６に送信し、受信したパケットから元のデータを復元する等の処理を行なう。
【０００６】
ネットワークシステム５においてＬＡＮ装置７での消費電力を削減する手法として、ＬＡＮ装置７のＬＡＮブロック７１以外の要素、例えばＣＰＵ７２の動作を停止してＬＡＮブロック７１を動作させておき、ネットワークスイッチ６から所定のパケットを受信したことをＬＡＮコントローラ７４にて検出すると、ＬＡＮコントローラ７４がＣＰＵ７２等を起動する動作モード、即ち節電モードを設けるものがある。このようなシステムでは節電モードにおいてＬＡＮブロック７１のみを動作させておけばよいので、ＬＡＮ装置７全体を起動する通常モードと比較して消費電力を削減することができる。
【０００７】
しかし、換言すれば、ＬＡＮブロック７１は常に起動しておく必要がある。一般に、起動中のＬＡＮブロックは、自装置宛のパケットだけではなく、同じＬＡＮ内の他装置宛のパケットをも受信し、自装置宛のパケットか否かを常に監視する。このため宛先に関わらずパケットがＬＡＮを流れる毎にＬＡＮブロックはパケット処理のために電力を消費する。
【０００８】
また、この種の節電モードでは、起動パケットを受信すると、ＬＡＮコントローラ７４の指示に応じて停止していたＣＰＵ７２が起動し、続いてオペレーティングシステムを立ち上げた後でＬＡＮ装置７は通常の状態に移行するので、節電モードから通常モードへの移行にある程度の時間を要する。このようなタイムラグがあるため、この種の技術は、ネットワークからの問い合わせに対して即応性が要求されるＬＡＮ装置、例えばＩＰ電話端末に適用するのが難しい。
【先行技術文献】
【特許文献】
【０００９】
【特許文献１】特開２００７−２８１６２８
【発明の概要】
【発明が解決しようとする課題】
【００１０】
本発明はこうした状況に鑑みてなされたものであり、本発明が解決しようとする課題は、節電モード中のネットワーク装置においてパケット処理に要する電力消費を抑制することである。
【課題を解決するための手段】
【００１１】
上述の課題を解決するため、本発明は、その一態様として、ネットワークスイッチ、ネットワーク装置、前記ネットワークスイッチ及び前記ネットワーク装置の間を接続するケーブルを備えるネットワークシステムであって、前記ケーブルは、前記ネットワークスイッチ及び前記ネットワーク装置の間でパケットを伝送する伝送媒体と、前記ネットワークスイッチから前記ネットワーク装置に供給する電力を伝送する伝送媒体とを備え、前記ネットワーク装置は、前記ケーブルを介して伝送するパケットを処理するためのパケット処理手段を備え、前記ネットワークスイッチは、前記ネットワーク装置を宛先として含む第１のパケットの受信に応じて、前記パケット処理手段の起動を指示する信号である起動信号を、前記ケーブルを介した給電電圧に重畳して、前記ネットワーク装置に送信する手段を備え、前記ネットワーク装置は、前記給電電圧から前記起動信号を検出して、前記パケット処理手段を起動する手段を更に備えることを特徴とするネットワークシステムを提供する。
【００１２】
また、本発明は、他の態様として、パケットを伝送する伝送媒体と、電力を伝送する伝送媒体とを備えるケーブルを介して接続されたネットワーク装置に対し、前記ケーブルを介して電力を供給する給電手段と、前記ネットワーク装置を宛先として含む第１のパケットの受信に応じて、前記ネットワーク装置に対してパケットを処理する手段であるパケット処理手段の起動を指示する信号である起動信号を生成し、前記ケーブルを介した給電電圧に前記起動信号を重畳して、前記ネットワーク装置に送信する手段とを備えることを特徴とするネットワークスイッチを提供する。
【００１３】
更に、本発明は、他の態様として、パケットを伝送する伝送媒体と電力を伝送する伝送媒体とを備えるケーブルを介してネットワークスイッチに接続されて、前記ケーブルを介して前記ネットワークスイッチとの間でパケットを伝送するとともに、前記ケーブルを介して前記ネットワークスイッチから電力の供給を受けるネットワーク装置であって、前記ケーブルを介して伝送するパケットを処理するためのパケット処理手段と、当該ネットワーク装置を宛先として含む第１のパケットを前記ネットワークスイッチが受信するのに応じて、前記ネットワークスイッチが前記ケーブルを介した給電電圧に重畳して送信する信号であって、前記パケット処理手段の起動を指示する信号である起動信号を前記給電電圧から検出して、前記パケット処理手段を起動する手段とを備えることを特徴とするネットワーク装置を提供する。
【００１４】
更に、本発明は、他の態様として、導線を伝送媒体とするケーブルを介してネットワークスイッチに接続され、前記ケーブルを介して前記ネットワークスイッチとの間でパケットを送受信し、かつ、前記ケーブルを介して前記ネットワークスイッチから電力の供給を受けるネットワーク装置を宛先として含む第１のパケットを、前記ネットワークスイッチが受信する段階と、前記ネットワーク装置のパケット処理手段の起動を指示する信号である起動信号を、前記ケーブルを介した給電電圧に重畳して、前記ネットワークスイッチから前記ネットワーク装置に送信する段階と、前記ネットワーク装置が前記給電電圧から前記起動信号を検出する段階と、前記起動信号の検出に応じて、前記ネットワーク装置が前記パケット処理手段を起動する段階とを含むことを特徴とするネットワーク装置の制御方法を提供する。
【発明の効果】
【００１５】
本発明によれば、ネットワーク装置宛のパケット受信に応じて、ネットワークスイッチは起動信号をネットワーク装置に送信する。起動信号に応じて、ネットワーク装置はパケット処理手段を起動する。
【図面の簡単な説明】
【００１６】
【図１】本発明の第1の実施の形態であるネットワークシステム１のブロック図である。
【図２】ネットワークシステム１の動作を説明するためのフローチャートである。
【図３】電圧変動コマンド生成回路２５が生成する電圧変動コマンドの例である。
【図４】従来のネットワークシステム５のブロック図である。
【発明を実施するための形態】
【００１７】
本発明の一実施の形態であるネットワークシステム１について図１を参照して説明する。ネットワークシステム１はＬＡＮスイッチ２、ＬＡＮ装置３、ケーブル４からなる。
【００１８】
ＬＡＮスイッチ２はネットワークスイッチであり、コンピュータネットワークでパケットの転送先を切り替える装置である。ＬＡＮスイッチ２として用いることができるものとして例えばハブ、ブリッジ、ルーター、スイッチングハブ、レイヤ３スイッチ等がある。ＬＡＮスイッチ２はＬＡＮインタフェース２１、２２、ＬＡＮコントローラ２３、給電回路２４、電圧変動コマンド生成回路２５を備える。
【００１９】
ＬＡＮインタフェース２１は上流ＬＡＮに接続される。ＬＡＮインタフェース２２はケーブル４を介してＬＡＮ装置３に接続され、ケーブル４を介して、ＬＡＮ装置３とのパケット伝送を行なうとともに、ＬＡＮ装置３への電力伝送を行なう。
【００２０】
ＬＡＮコントローラ２３は、一般的なＬＡＮコントローラとしての機能に加えて、ＬＡＮインタフェース２１を介して上流パケットから受信したパケットが、ＬＡＮスイッチ２の配下に接続されている停止中のＬＡＮ装置であるか否かを判定し、停止中のＬＡＮ装置宛のパケットであると判定した場合はコマンド生成命令を電圧変動コマンド生成回路２５に送る。このコマンド生成命令は、電圧変動コマンド生成回路２５に対して、電圧変動コマンドとして起動命令を生成するように指示するものである。
【００２１】
給電回路２４はＬＡＮインタフェース２２、ケーブル４を介してＬＡＮ装置３に給電する回路である。
【００２２】
電圧変動コマンド生成回路２５はＬＡＮコントローラ２３からのコマンド生成命令に応じて、電圧変動コマンドを生成する。ここで生成する電圧変動コマンドは、ＬＡＮ装置３に対し、後述するＬＡＮブロック３１の起動を指示する起動命令である。
【００２３】
ＬＡＮ装置３として考えられる装置としては、ケーブル４を介してパケット伝送を行うとともに電圧受給を受ける様々な装置がある。例えばＩＰ電話端末、ウェブカメラ、スイッチングハブ、無線ＬＡＮアクセスポイント等がＬＡＮ装置３として考えられる。ＬＡＮ装置３はＬＡＮブロック３１、ＣＰＵ３２、電圧変動コマンド検出回路３３を備える。
【００２４】
ＬＡＮ装置３の動作モードには通常モードと節電モードがある。通常モードにあるときＬＡＮブロック３１、ＣＰＵ３２の両方が起動している。節電モードにあるとき、基本的にはＬＡＮブロック３１は停止し、ＣＰＵ３２は起動しているが、ＬＡＮスイッチ２から起動命令を受けると、ＬＡＮブロック３１を一時的に起動してパケットを受信し、そのパケットに応じた処理をＣＰＵ３２が完了次第、ＬＡＮブロック３１を再び停止する。尚、節電モードであってもＣＰＵ３２は作動しているため、給電回路２４はＬＡＮ装置３が節電モードであっても給電を行なう。
【００２５】
ＬＡＮブロック３１はＬＡＮインタフェース３４、ＬＡＮコントローラ３５を備える。ＬＡＮインタフェース３４はケーブル４を介して対向するＬＡＮインタフェース２２との間でパケットの伝送を行なうとともに給電を受ける。ＬＡＮインタフェース３４は受信したパケットをＬＡＮコントローラ３５に渡す一方、受給電圧については電圧変動コマンド検出回路３３に渡す。ＬＡＮコントローラ３５は、ＬＡＮブロック３１が停止しているときに電圧変動コマンド検出回路３３からＬＡＮ起動命令を受け取ると、これに応じてＬＡＮコントローラ３５はＬＡＮブロック３１を起動する。また、ＬＡＮブロック３１が起動しているときにＣＰＵ３２からＬＡＮ停止命令を受け取ると、これに応じてＬＡＮコントローラ３５はＬＡＮブロック３１を停止する。
【００２６】
ＣＰＵ３２はＬＡＮ装置３全体の動作を制御する。また、ＣＰＵ３２は、節電モード中に一時的に起動したＬＡＮブロック３１経由で受け取ったパケットに関する処理を完了すると、ＬＡＮブロック３１に対し、ＬＡＮ停止命令を送る。ＬＡＮ停止命令はＬＡＮブロック３１に対して停止を要求する命令である。
【００２７】
電圧変動コマンド検出回路３３は、ＬＡＮインタフェース３４を介して受け取る受給電圧を監視する。受給電圧に電圧変動コマンドが重畳されているのを検出すると、電圧変動コマンド検出回路３３は、その電圧変動コマンドを解釈し、その内容に応じた動作を行なう。検出した電圧変動コマンドが起動命令の場合、電圧変動コマンド検出回路３３は、ＬＡＮコントローラ３５及びＣＰＵ３２に対してＬＡＮ起動命令を送る。
【００２８】
ケーブル４はパケット伝送のための伝送媒体と、電力伝送のための伝送媒体の両方を備えるケーブルである。
【００２９】
次に、ＬＡＮ装置３が節電モードにあり、ＬＡＮスイッチ２がＬＡＮ装置３を宛先とするパケットＰ１を上流ＬＡＮから受信したときのネットワークシステム１の動作について図２を参照して説明する。ＬＡＮ装置３は節電モードにあるので、最初の時点ではＬＡＮブロック３１は停止している一方、ＣＰＵ３２は起動している。
【００３０】
ＬＡＮスイッチ２において、ＬＡＮインタフェース２１が上流ＬＡＮからパケットＰ１を受け取る（ステップＳ１）と、ＬＡＮコントローラ２３は、パケットＰ１の宛先にＬＡＮ装置３が含まれるか否かを判定する（ステップＳ２）。ここではパケットＰ１の宛先にはＬＡＮ装置３が含まれるので、ＬＡＮコントローラ２３は、電圧変動コマンド生成回路２５に対して、電圧変動コマンド「起動命令」の生成を指示するためのコマンド生成命令を発行し、電圧変動コマンド生成回路２５に送る（ステップＳ３）。この命令を受けて、電圧変動コマンド生成回路２５は、起動命令を生成し、給電回路２４からの給電電圧に重畳（ステップＳ４）して、ＬＡＮインタフェース２２、ケーブル４、ＬＡＮインタフェース３４を介して電圧変動コマンド検出回路３３に送信する。
【００３１】
ＬＡＮ装置３において、電圧変動コマンド検出回路３３は、起動命令を検出する（ステップＳ５）と、ＬＡＮコントローラ３５及びＣＰＵ３２に対してＬＡＮ起動命令を送信する（ステップＳ６）。この命令に応じて、ＬＡＮコントローラ３５は現在停止中のＬＡＮブロック３１を起動し、パケットを受信可能な状態に移行する（ステップＳ７）。ＣＰＵ３２が省電力モードを有し、現に省電力モードにある場合は、ＬＡＮ起動命令に応じて通常モードに移行してもよい。ＬＡＮ起動命令に応じて、ＬＡＮコントローラ３５或いはＣＰＵ３２は、ＬＡＮブロック３１が起動したことをＬＡＮスイッチ２に通知するためのパケットＰ２をＬＡＮインタフェース３４から送信することとしてもよい。
【００３２】
再びＬＡＮスイッチ２において、ＬＡＮコントローラ２３は、ＬＡＮブロック３１が起動したことを認識する（ステップＳ８）と、ステップＳ１にて上流ＬＡＮから受信したパケットＰ１を、ＬＡＮインタフェース２２、ケーブル４を介してＬＡＮインタフェース３４に送信する（ステップＳ９）。ステップＳ８においてＬＡＮコントローラ２３がＬＡＮブロック３１の起動を認識する方法としては、上述のパケットＰ２をＬＡＮインタフェース２２がＬＡＮインタフェース３４から受信したことにより認識することとしてもよいし、或いは、起動命令を送信後、所定の時間が経過後にＬＡＮブロック３１が起動したものとみなすことにより認識することとしてもよい。
【００３３】
再びＬＡＮ装置３において、ＬＡＮブロック３１がパケットＰ１を受信し、そのパケットをパケット化される前のデータに戻してＣＰＵ３２に渡す（ステップＳ１０）と、ＣＰＵ３２は、そのデータに関連した処理を実行する（ステップＳ１１）。この処理の例としては、ＬＡＮ装置３がＩＰ電話端末であり、パケットＰ１が接続要求である場合、その接続要求に応じて開始する一回の通話、及び、この通話に伴う通信処理がある。この処理が終了する（ステップＳ１２）と、ＣＰＵ３２はＬＡＮ停止命令をＬＡＮブロック３１に送る（ステップＳ１３）。ＬＡＮ停止命令を受けたＬＡＮコントローラ３５は、ＬＡＮブロック３１を再び停止する（ステップＳ１４）。
【００３４】
電圧変動コマンド生成回路２５が生成する電圧変動コマンドについて説明する。ネットワークシステム１の外部環境や、ＬＡＮスイッチ２、ＬＡＮ装置３の内部環境でノイズが発生し、給電電圧に混入することが一般に予想される。こうしたノイズによる誤動作を防止するため、例えば図３に示すようにノイズ等の理由により頻繁に生じる恐れがないような波形を電圧変動コマンドとして用いることが好ましい。
【００３５】
以上、本発明について実施の形態に即して説明したが、上述の実施形態は例示であり、本発明はこれらに限定されるものではない。例えば、上述の実施形態の節電モードでは、ＬＡＮブロックが停止し、ＣＰＵは作動する動作モードであったが、本発明はこれに限定されるものではなく、ＬＡＮブロック及びＣＰＵの両方が停止する動作モードとしてもよい。この場合、節電モードから通常モードへの移行に時間を要するものの、一層の省電力化を図ることができる。
【００３６】
上記の実施形態及び実施例の一部又は全部は以下の付記のようにも記載されうるが、これらに限定されるものではない。
【００３７】
（付記１）
ネットワークスイッチ、ネットワーク装置、前記ネットワークスイッチ及び前記ネットワーク装置の間を接続するケーブルを備えるネットワークシステムであって、
前記ケーブルは、前記ネットワークスイッチ及び前記ネットワーク装置の間でパケットを伝送する伝送媒体と、前記ネットワークスイッチから前記ネットワーク装置に供給する電力を伝送する伝送媒体とを備え、
前記ネットワーク装置は、前記ケーブルを介して伝送するパケットを処理するためのパケット処理手段を備え、
前記ネットワークスイッチは、前記ネットワーク装置を宛先として含む第１のパケットの受信に応じて、前記パケット処理手段の起動を指示する信号である起動信号を、前記ケーブルを介した給電電圧に重畳して、前記ネットワーク装置に送信する手段を備え、
前記ネットワーク装置は、前記給電電圧から前記起動信号を検出して、前記パケット処理手段を起動する手段を更に備える
ことを特徴とするネットワークシステム。
【００３８】
（付記２）
前記パケット処理手段が起動したことを示す予め定められた契機に応じて、前記ネットワークスイッチは前記ネットワーク装置に前記第１のパケットを送信することを特徴とする付記１に記載のネットワークシステム。
【００３９】
（付記３）
前記ネットワーク装置は、前記起動信号に応じて前記パケット処理手段が起動したことを通知する第２のパケットを前記ネットワークスイッチに送信する手段を更に備え、
前記ネットワークスイッチは、前記第２のパケットの受信を前記契機として、前記ネットワーク装置に前記第１のパケットを送信する手段を更に備える
ことを特徴とする付記２に記載のネットワークシステム。
【００４０】
（付記４）
前記ネットワーク装置は、前記ネットワークスイッチから受信した前記第１のパケットの内容に応じた処理を実行する手段を更に備えることを特徴とする付記２及び付記３のいずれかに記載のネットワークシステム。
【００４１】
（付記５）
前記ネットワーク装置は、前記第１のパケットに関する処理の終了に応じて、前記パケット処理手段を停止する手段を更に備えることを特徴とする付記４に記載のネットワークシステム。
【００４２】
（付記６）
前記ネットワーク装置は前記パケット処理手段とは異なる情報処理手段を備え、
前記パケット処理手段が起動しているか停止しているかに関わらず、前記情報処理手段への給電は継続される
ことを特徴とする付記１乃至付記５のいずれかに記載のネットワークシステム。
【００４３】
（付記７）
パケットを伝送する伝送媒体と、電力を伝送する伝送媒体とを備えるケーブルを介して接続されたネットワーク装置に対し、前記ケーブルを介して電力を供給する給電手段と、
前記ネットワーク装置を宛先として含む第１のパケットの受信に応じて、前記ネットワーク装置に対してパケットを処理する手段であるパケット処理手段の起動を指示する信号である起動信号を生成し、前記ケーブルを介した給電電圧に前記起動信号を重畳して、前記ネットワーク装置に送信する手段と
を備えることを特徴とするネットワークスイッチ。
【００４４】
（付記８）
前記パケット処理手段が起動したことを示す予め定められた契機に応じて、前記ネットワークスイッチは前記ネットワーク装置に前記第１のパケットを送信することを特徴とする付記７に記載のネットワークスイッチ。
【００４５】
（付記９）
前記起動信号に応じて前記パケット処理手段が起動したことを通知する第２のパケットを、前記ネットワーク装置から受信する手段と、
前記第２のパケットの受信を前記契機として、前記ネットワーク装置に前記第１のパケットを送信する手段と
を更に備えることを特徴とする付記８に記載のネットワークスイッチ。
【００４６】
（付記１０）
前記パケット処理手段が起動しているか停止しているかに関わらず、前記給電手段は、前記ネットワーク装置の前記パケット処理手段とは異なる情報処理手段に対して電力を供給する
ことを特徴とする付記７乃至付記９のいずれかに記載のネットワークスイッチ。
【００４７】
（付記１１）
パケットを伝送する伝送媒体と電力を伝送する伝送媒体とを備えるケーブルを介してネットワークスイッチに接続されて、前記ケーブルを介して前記ネットワークスイッチとの間でパケットを伝送するとともに、前記ケーブルを介して前記ネットワークスイッチから電力の供給を受けるネットワーク装置であって、
前記ケーブルを介して伝送するパケットを処理するためのパケット処理手段と、
当該ネットワーク装置を宛先として含む第１のパケットを前記ネットワークスイッチが受信するのに応じて、前記ネットワークスイッチが前記ケーブルを介した給電電圧に重畳して送信する信号であって、前記パケット処理手段の起動を指示する信号である起動信号を前記給電電圧から検出して、前記パケット処理手段を起動する手段と
を備えることを特徴とするネットワーク装置。
【００４８】
（付記１２）
前記起動信号に応じて前記パケット処理手段が起動したことを通知する第２のパケットを前記ネットワークスイッチに送信する手段を更に備えることを特徴とする付記１１に記載のネットワーク装置。
【００４９】
（付記１３）
前記ネットワークスイッチから受信した前記第１のパケットの内容に応じた処理を実行する手段を更に備えることを特徴とする付記１１及び付記１２のいずれかに記載のネットワーク装置。
【００５０】
（付記１４）
前記第１のパケットに関する処理の終了に応じて、前記パケット処理手段を停止する手段を更に備えることを特徴とする付記１３に記載のネットワーク装置。
【００５１】
（付記１５）
前記パケット処理手段とは異なる情報処理手段を備え、
前記パケット処理手段が起動しているか停止しているかに関わらず、前記情報処理手段に対して給電する
ことを特徴とする付記１１乃至付記１４のいずれかに記載のネットワーク装置。
【００５２】
（付記１６）
導線を伝送媒体とするケーブルを介してネットワークスイッチに接続され、前記ケーブルを介して前記ネットワークスイッチとの間でパケットを送受信し、かつ、前記ケーブルを介して前記ネットワークスイッチから電力の供給を受けるネットワーク装置を宛先として含む第１のパケットを、前記ネットワークスイッチが受信する段階と、
前記ネットワーク装置のパケット処理手段の起動を指示する信号である起動信号を、前記ケーブルを介した給電電圧に重畳して、前記ネットワークスイッチから前記ネットワーク装置に送信する段階と、
前記ネットワーク装置が前記給電電圧から前記起動信号を検出する段階と、
前記起動信号の検出に応じて、前記ネットワーク装置が前記パケット処理手段を起動する段階と
を含むことを特徴とするネットワーク装置の制御方法。
【００５３】
（付記１７）
前記パケット処理手段が起動したことを示す予め定められた契機に応じて、前記ネットワークスイッチは前記ネットワーク装置に前記第１のパケットを送信することを特徴とする付記１６に記載の方法。
【００５４】
（付記１８）
前記起動信号に応じて前記パケット処理手段が起動したことを通知する第２のパケットを、前記ネットワーク装置から前記ネットワークスイッチに送信する段階を更に含み、
前記ネットワークスイッチは、前記第２のパケットの受信を前記契機として、前記ネットワーク装置に前記第１のパケットを送信する
ことを特徴とする付記１７に記載の方法。
【００５５】
（付記１９）
前記第１のパケットを受信した前記ネットワーク装置が、前記第１のパケットの内容に応じた処理を実行する段階を更に含むことを特徴とする付記１７及び付記１８のいずれかに記載の方法。
【００５６】
（付記２０）
前記第１のパケットに関する処理の終了に応じて、前記パケット処理手段を停止する段階を更に含むことを特徴とする付記１９に記載の方法。
【００５７】
（付記２１）
前記パケット処理手段が起動しているか停止しているかに関わらず、前記ネットワーク装置のＣＰＵへの給電は継続していることを特徴とする付記１６乃至付記２０のいずれかに記載の方法。
【符号の説明】
【００５８】
１  ネットワークシステム
２  ＬＡＮスイッチ
３  ＬＡＮ装置
４  ケーブル
２１、２２、３４  ＬＡＮインタフェース
２３、３５  ＬＡＮコントローラ
２４  給電回路
２５  電圧変動コマンド生成回路
３１  ＬＡＮブロック
３２  ＣＰＵ（Ｃｅｎｔｒａｌ  Ｐｒｏｃｅｓｉｎｇ  Ｕｎｉｔ）
３３  電圧変動コマンド検出回路
【図１】
0005317233.tif 000002
【図２】
0005317233.tif 000003
【図３】
0005317233.tif 000004
【図４】
0005317233.tif 000005